(57)【要約】【課題】  画像全体を表示して所定の処理の処理範囲を示した表示状態と、処理範囲を大きく表示した状態とにおいて、それぞれの状態に合わせた好適な操作感で所定の処理の処理範囲の設定操作を行うことができるようにする。【解決手段】  表示手段の表示領域に、所定の処理の処理範囲である画像の一部範囲を識別可能な状態で該画像の全体を表示する第１の表示モードと、前記画像の前記処理範囲を前記表示領域に合わせて変倍して表示する第２の表示モードとで画像を表示させることのできる表示制御手段と、  前記第１の表示モードの際に前記処理範囲の変更操作が行われたことに応じて第１の変化量で前記処理範囲を変更し、前記第２の表示モードの際に前記変更操作が行われたことに応じて前記第１の変化量よりも小さい第２の変化量で前記処理範囲を変更するように制御する制御手段とを有する。【選択図】  図５
2014165523.tif 000002
【特許請求の範囲】
【請求項１】
表示手段の表示領域に、所定の処理の処理範囲である画像の一部範囲を識別可能な状態で該画像の全体を表示する第１の表示モードと、前記画像の前記処理範囲を前記表示領域に合わせて変倍して表示する第２の表示モードとで画像を表示させることのできる表示制御手段と、
前記画像における前記処理範囲を変更する変更操作を受け付ける操作手段と、
前記第１の表示モードの際に前記変更操作が行われたことに応じて第１の変化量で前記処理範囲を変更し、前記第２の表示モードの際に前記変更操作が行われたことに応じて前記第１の変化量よりも小さい第２の変化量で前記処理範囲を変更するように制御する制御手段と
を有することを特徴とする表示制御装置。
【請求項２】
前記制御手段は、前記第１の表示モードの際に、前記変更操作として前記処理範囲を移動させる１回の操作が行われたことに応じて第１の移動量で前記処理範囲を移動し、前記第２の表示モードの際に、前記変更操作として前記処理範囲を移動させる１回の前記操作が行われたことに応じて前記第１の移動量よりも小さい第２の移動量で前記処理範囲を移動するように制御することを特徴とする請求項１に記載の表示制御装置。
【請求項３】
前記制御手段は、前記第１の表示モードの際に、前記変更操作として前記処理範囲の大きさを変える１回の操作が行われたことに応じて第１の変倍率で前記処理範囲の大きさを変更し、前記第２の表示モードの際に、前記変更操作として前記処理範囲の大きさを変える１回の前記操作が行われたことに応じて前記第１の変倍率よりも小さい第２の変倍率で前記処理範囲の大きさを変えるように制御することを特徴とする請求項１または２に記載の表示制御装置。
【請求項４】
前記表示制御手段は、前記第２の表示モードにおいては、前記画像のうち前記処理範囲の外側の部分は表示しないことを特徴とする請求項１乃至３の何れか１項に記載の表示制御装置。
【請求項５】
前記所定の処理はトリミングであることを特徴とする請求項１乃至４の何れか１項に記載の表示制御装置。
【請求項６】
前記制御手段による制御によって設定された前記処理範囲に対して前記所定の処理を施す処理手段を更に有することを特徴とする請求項１乃至５の何れか１項に記載の表示制御装置。
【請求項７】
前記制御手段は、前記第２の表示モードの際に所定時間を超えない前記変更操作が行われたことに応じて前記第２の変化量で前記処理範囲を変更し、前記第２の表示モードの際に所定時間以上の継続した前記変更操作が行われたことに応じて前記第２の変化量よりも大きい第３の変化量で前記処理範囲を変更するように制御することを特徴とする請求項１乃至６のいずれか１項に記載の表示制御装置。
【請求項８】
前記制御手段は、前記第１の表示モードの際に所定時間を超えない前記変更操作が行われたことに応じて前記第１の変化量で前記処理範囲を変更し、前記第２の表示モードの際に所定時間以上の継続した前記変更操作が行われたことに応じても前記第１の変化量で前記処理範囲を変更するように制御することを特徴とする請求項７に記載の表示制御装置。
【請求項９】
前記第３の変化量は前記第１の変化量よりも小さいことを特徴とする請求項７または８に記載の表示制御装置。
【請求項１０】
前記操作手段はボタンであることを特徴とする請求項１乃至９の何れか１項に記載の表示制御装置。
【請求項１１】
撮像手段を更に有し、前記画像は前記撮像手段で撮像された画像であることを特徴とする請求項１乃至１０の何れか１項に記載の表示制御装置。
【請求項１２】
ユーザーの操作に基づいて前記第１の表示モードと前記第２の表示モードとを切り替える切り替え手段を更に有することを特徴とする請求項１乃至１１の何れか１項に記載の表示制御装置。
【請求項１３】
前記制御手段は、前記第２の表示モードから前記第１の表示モードに切り替わってから一定時間以内に前記変更操作が行われた場合は、前記第２の変化量で前記処理範囲を変更するように制御することを特徴とする請求項１乃至１２の何れか１項に記載の表示制御装置。
【請求項１４】
前記表示制御手段は、前記第２の表示モードの際のユーザーからの操作に基づいて、前記処理範囲の境界の内側の一部分を拡大して表示するように制御することを特徴とする請求項１乃至１３の何れか１項に記載の表示制御装置。
【請求項１５】
表示手段の表示領域に、所定の処理の処理範囲である画像の一部範囲を識別可能な状態で該画像の全体を表示する第１の表示モードと、前記画像の前記処理範囲を前記表示領域に合わせて変倍して表示する第２の表示モードとで画像を表示させることのできる表示制御ステップと、
前記画像における前記処理範囲を変更する変更操作を受け付ける操作ステップと、
前記第１の表示モードの際に前記変更操作が行われたことに応じて第１の変化量で前記処理範囲を変更し、前記第２の表示モードの際に前記変更操作が行われたことに応じて前記第１の変化量よりも小さい第２の変化量で前記処理範囲を変更するように制御する制御ステップと
を有することを特徴とする表示制御装置の制御方法。
【請求項１６】
コンピュータを、請求項１乃至１４のいずれか１項に記載された表示制御装置の各手段として機能させるためのプログラム。
【請求項１７】
コンピュータを、請求項１乃至１４のいずれか１項に記載された表示制御装置の各手段として機能させるためのプログラムを格納したコンピュータが読み取り可能な記憶媒体。
【発明の詳細な説明】
【技術分野】
【０００１】
本発明は、表示制御装置に関し、特に画像全体のうち所定の処理を施す範囲を設定する際の制御に関するものである。
【背景技術】
【０００２】
画像全体のうち、ユーザーに指定された一部領域を切り出すトリミング処理を行える機器が普及している。特許文献１には、画像全体を表示してトリミング範囲を示したトリミング編集用画面と、トリミング範囲内の画像であるトリミング画像を表示する確認画面とを切り替えながらトリミング領域を設定する方法が提案されている。
【先行技術文献】
【特許文献】
【０００３】
【特許文献１】特開平５−１４５８４６号公報
【発明の概要】
【発明が解決しようとする課題】
【０００４】
特許文献１におけるトリミング画像を表示する確認画面では、トリミング範囲の変更を行えない。しかしながら、画像全体を表示してトリミング範囲を示した表示状態だけでなく、特許文献１における確認画面のように、トリミングされる範囲を大きく表示した状態でもトリミング範囲を調整できれば使い勝手が良いと考えられる。これは、トリミング範囲の設定以外にも、何らかの処理を実行すべき画像の一部範囲を設定する場面においても言える。
【０００５】
そこで本発明は、画像全体を表示して所定の処理の処理範囲を示した表示状態と、処理範囲を大きく表示した状態とにおいて、それぞれの状態に合わせた好適な操作感で所定の処理の処理範囲の設定操作を行うことのできる表示制御装置を提供することを目的とする。
【課題を解決するための手段】
【０００６】
上記目的を達成するために、本発明の表示制御装置は、
表示手段の表示領域に、所定の処理の処理範囲である画像の一部範囲を識別可能な状態で該画像の全体を表示する第１の表示モードと、前記画像の前記処理範囲を前記表示領域に合わせて変倍して表示する第２の表示モードとで画像を表示させることのできる表示制御手段と、
前記画像における前記処理範囲を変更する変更操作を受け付ける操作手段と、
前記第１の表示モードの際に前記変更操作が行われたことに応じて第１の変化量で前記処理範囲を変更し、前記第２の表示モードの際に前記変更操作が行われたことに応じて前記第１の変化量よりも小さい第２の変化量で前記処理範囲を変更するように制御する制御手段と
を有することを特徴とする。
【発明の効果】
【０００７】
本発明によれば、画像全体を表示して所定の処理の処理範囲を示した表示状態と、処理範囲を大きく表示した状態とにおいて、それぞれの状態に合わせた好適な操作感で所定の処理の処理範囲の設定操作を行うことができる。
【図面の簡単な説明】
【０００８】
【図１】デジタルカメラ１００の外観図である。
【図２】デジタルカメラ１００の概略構成ブロック図である。
【図３】（ａ）全体表示でのトリミング範囲設定画面の表示例である。（ｂ）トリミング範囲内表示でのトリミング範囲設定画面の表示例である。
【図４】（ａ）全体表示モードでの１回の操作でのトリミング範囲の移動を示した図である。（ｂ）トリミング範囲内表示モードでの１回の操作でのトリミング範囲の移動を示した図である。
【図５】トリミング範囲設定処理のフローチャートである。
【図６】詳細表示モードの表示例である。
【図７】詳細表示モードにおけるトリミング範囲微調整モードの表示例である。
【図８】保存確認画面の表示例である。
【発明を実施するための形態】
【０００９】
＜実施例１＞
以下、図面を参照して本発明の好適な実施形態を説明する。
【００１０】
図１（ａ）、（ｂ）に本発明の撮像装置の一例としてのデジタルカメラの外観図を示す。図１（ａ）はデジタルカメラ１００の前面斜視図であり、図１（ｂ）はデジタルカメラ１００の背面斜視図である。図１において、表示部２８は画像や各種情報を表示する表示部である。シャッターボタン６１は撮影指示を行うための操作部である。モード切替スイッチ６０は各種モードを切り替えるための操作部である。端子カバー４０は該部機器との接続ケーブルとデジタルカメラ１００とを接続する接続ケーブル等のコネクタ（不図示）を保護するカバーである。メイン電子ダイヤル７１は操作部７０に含まれる回転操作部材であり、このメイン電子ダイヤル７１を回すことで、シャッター速度や絞りなどの設定値の変更等が行える。電源スイッチ７２はデジタルカメラ１００の電源のＯＮ及びＯＦＦを切り替える操作部材である。サブ電子ダイヤル７３は操作部７０に含まれ、操作部７０に含まれる回転操作部材であり、選択枠の移動や画像送りなどを行える。十字キー７４は操作部７０に含まれ、上、下、左、右部分をそれぞれ押し込み可能な十字キー（４方向キー）である。十字キー７４の押した部分に応じた操作が可能である。ＳＥＴボタン７５は操作部７０に含まれ、押しボタンであり、主に選択項目の決定などに用いられる。ＬＶボタン７６は操作部７０に含まれ、静止画撮影モードにおいてライブビュー（以下、ＬＶ）のＯＮとＯＦＦを切り替えるボタンである。動画撮影モードにおいては、動画撮影（記録）の開始、停止の指示に用いられる。拡大ボタン７７は操作部７０に含まれ、撮影モードのライブビュー表示において拡大モードのＯＮ、ＯＦＦ，及び拡大モード中の拡大率の変更を行うための操作ボタンである。再生モードにおいては再生画像を拡大し、拡大率を増加させるための拡大ボタンとして機能する。縮小ボタン７８は操作部７０に含まれ、拡大された再生画像の拡大率を低減させ、表示された画像を縮小させるためのボタンである。再生ボタン７９は操作部７０に含まれ、撮影モードと再生モードとを切り替える操作ボタンである。撮影モード中に再生ボタン７９を押下することで再生モードに移行し、記録媒体２００に記録された画像のうち最新の画像を表示部２８に表示させることができる。クイックリターンミラー１２は、システム制御部５０から指示されて、不図示のアクチュエータによりアップダウンされる。通信端子１０はデジタルカメラ１００がレンズ側（着脱可能）と通信を行う為の通信端子である。接眼ファインダー１６はフォーカシングスクリーン１３を観察することで、レンズユニット１５０を通して得た被写体の光学像の焦点や構図の確認を行うための覗き込み型のファインダーである。蓋２０２は記録媒体２００を格納ひたスロットの蓋である。グリップ部９０は、ユーザーがデジタルカメラ１００を構えた際に右手で握りやすい形状とした保持部である。
【００１１】
図２は、本実施形態によるデジタルカメラ１００の構成例を示すブロック図である。図２において、レンズユニット１５０は、交換可能な撮影レンズを搭載するレンズユニットである。
【００１２】
レンズ１０３は通常、複数枚のレンズから構成されるが、ここでは簡略して一枚のレンズのみで示している。通信端子６はレンズユニット１５０がデジタルカメラ１００側と通信を行う為の通信端子であり、通信端子１０はデジタルカメラ１００がレンズユニット１５０側と通信を行う為の通信端子である。レンズユニット１５０は、この通信端子６，１０を介してシステム制御部５０と通信し、内部のレンズシステム制御回路４によって絞り駆動回路２を介して絞り１０２の制御を行い、ＡＦ駆動回路３を介して、レンズ１０３の位置を変位させることで焦点を合わせる。
【００１３】
ＡＥセンサー１７は、レンズユニット１５０を通した被写体の輝度を測光する。
【００１４】
焦点検出部１１は、システム制御部５０にデフォーカス量情報を出力する。システム制御部５０はそれに基づいてレンズユニット１５０を制御し、位相差ＡＦを行う。
【００１５】
クイックリターンミラー１２（以下、ミラー１２）は、露光、ライブビュー撮影、動画撮影の際にシステム制御部５０から指示されて、不図示のアクチュエータによりアップダウンされる。ミラー１２は、レンズ１０３から入射した光束をファインダ１６側と撮像部２２側とに切替えるためのミラーである。ミラー１２は通常時はファインダ１６へと光束を導くよう反射させるように配されているが、撮影が行われる場合やライブビュー表示の場合には、撮像部２２へと光束を導くように上方に跳ね上がり光束中から待避する（ミラーアップ）。またミラー１２はその中央部が光の一部を透過できるようにハーフミラーとなっており、光束の一部を、焦点検出を行うための焦点検出部１１に入射するように透過させる。
【００１６】
撮影者は、ペンタプリズム１４とファインダー１６を介して、フォーカシングスクリーン１３を観察することで、レンズユニット１５０を通して得た被写体の光学像の焦点や構図の確認が可能となる。
【００１７】
フシャッター１０１は、システム制御部５０の制御で撮像部２２の露光時間を自由に制御できるフォーカルプレーンシャッターである。
【００１８】
撮像部２２は光学像を電気信号に変換するＣＣＤやＣＭＯＳ素子等で構成される撮像素子である。Ａ／Ｄ変換器２３は、アナログ信号をデジタル信号に変換する。Ａ／Ｄ変換器２３は、撮像部２２から出力されるアナログ信号をデジタル信号に変換するために用いられる。
【００１９】
画像処理部２４は、Ａ／Ｄ変換器２３からのデータ、又は、メモリ制御部１５からのデータに対し所定の画素補間、縮小といったリサイズ処理や色変換処理を行う。また、画像処理部２４では、撮像した画像データを用いて所定の演算処理が行われ、得られた演算結果に基づいてシステム制御部５０が露光制御、測距制御を行う。これにより、ＴＴＬ（スルー・ザ・レンズ）方式のＡＦ（オートフォーカス）処理、ＡＥ（自動露出）処理、ＥＦ（フラッシュプリ発光）処理が行われる。画像処理部２４では更に、撮像した画像データを用いて所定の演算処理を行い、得られた演算結果に基づいてＴＴＬ方式のＡＷＢ（オートホワイトバランス）処理も行っている。
【００２０】
Ａ／Ｄ変換器２３からの出力データは、画像処理部２４及びメモリ制御部１５を介して、或いは、メモリ制御部１５を介してメモリ３２に直接書き込まれる。メモリ３２は、撮像部２２によって得られＡ／Ｄ変換器２３によりデジタルデータに変換された画像データや、表示部２８に表示するための画像データを格納する。メモリ３２は、所定枚数の静止画像や所定時間の動画像および音声を格納するのに十分な記憶容量を備えている。
【００２１】
また、メモリ３２は画像表示用のメモリ（ビデオメモリ）を兼ねている。Ｄ／Ａ変換器１９は、メモリ３２に格納されている画像表示用のデータをアナログ信号に変換して表示部２８に供給する。こうして、メモリ３２に書き込まれた表示用の画像データはＤ／Ａ変換器１９を介して表示部２８により表示される。表示部２８は、ＬＣＤ等の表示器上に、Ｄ／Ａ変換器１９からのアナログ信号に応じた表示を行う。Ａ／Ｄ変換器２３によって一度Ａ／Ｄ変換されメモリ３２に蓄積されたデジタル信号をＤ／Ａ変換器１９においてアナログ変換し、表示部２８に逐次転送して表示することで、電子ビューファインダとして機能し、スルー画像表示（ライブビュー表示）を行える。
【００２２】
不揮発性メモリ５６は、電気的に消去・記録可能なメモリであり、例えばＥＥＰＲＯＭ等が用いられる。不揮発性メモリ５６には、システム制御部５０の動作用の定数、プログラム等が記憶される。ここでいう、プログラムとは、本実施形態にて後述する各種フローチャートを実行するためのプログラムのことである。
【００２３】
システム制御部５０は、デジタルカメラ１００全体を制御する。前述した不揮発性メモリ５６に記録されたプログラムを実行することで、後述する本実施形態の各処理を実現する。５２はシステムメモリであり、ＲＡＭが用いられる。システムメモリ５２には、システム制御部５０の動作用の定数、変数、不揮発性メモリ５６から読み出したプログラム等を展開する。また、システム制御部はメモリ３２、Ｄ／Ａ変換器１９、表示部２８等を制御することにより表示制御も行う。
【００２４】
システムタイマー５３は各種制御に用いる時間や、内蔵された時計の時間を計測する計時部である。
【００２５】
モード切替スイッチ６０、第１シャッタースイッチ６２、第２シャッタースイッチ６４、操作部７０はシステム制御部５０に各種の動作指示を入力するための操作手段である。
【００２６】
モード切替スイッチ６０は、システム制御部５０の動作モードを静止画記録モード、動画記録モード、再生モード等のいずれかに切り替える。静止画記録モードに含まれるモードとして、オート撮影モード、オートシーン判別モード、マニュアルモード、絞り優先モード（Ａｖモード）、シャッター速度優先モード（Ｔｖモード）がある。また、撮影シーン別の撮影設定となる各種シーンモード、プログラムＡＥモード、カスタムモード等がある。モード切り替えスイッチ６０で、静止画撮影モードに含まれるこれらのモードのいずれかに直接切り替えられる。あるいは、モード切り替えスイッチ６０で静止画撮影モードに一旦切り換えた後に、静止画撮影モードに含まれるこれらのモードのいずれかに、他の操作部材を用いて切り替えるようにしてもよい。同様に、動画撮影モードにも複数のモードが含まれていてもよい。第１シャッタースイッチ６２は、デジタルカメラ１００に設けられたシャッターボタン６１の操作途中、いわゆる半押し（撮影準備指示）でＯＮとなり第１シャッタースイッチ信号ＳＷ１を発生する。第１シャッタースイッチ信号ＳＷ１により、ＡＦ（オートフォーカス）処理、ＡＥ（自動露出）処理、ＡＷＢ（オートホワイトバランス）処理、ＥＦ（フラッシュプリ発光）処理等の動作を開始する。
【００２７】
第２シャッタースイッチ６４は、シャッターボタン６１の操作完了、いわゆる全押し（撮影指示）でＯＮとなり、第２シャッタースイッチ信号ＳＷ２を発生する。システム制御部５０は、第２シャッタースイッチ信号ＳＷ２により、撮像部２２からの信号読み出しから記録媒体２００に画像データを書き込むまでの一連の撮影処理の動作を開始する。
【００２８】
操作部７０の各操作部材は、表示部２８に表示される種々の機能アイコンを選択操作することなどにより、場面ごとに適宜機能が割り当てられ、各種機能ボタンとして作用する。機能ボタンとしては、例えば終了ボタン、戻るボタン、画像送りボタン、ジャンプボタン、絞込みボタン、属性変更ボタン等がある。例えば、メニューボタンが押されると各種の設定可能なメニュー画面が表示部２８に表示される。利用者は、表示部２８に表示されたメニュー画面と、上下左右の４方向ボタンやＳＥＴボタンとを用いて直感的に各種設定を行うことができる。
【００２９】
操作部７０は、ユーザーからの操作を受け付ける入力部としての各種操作部材である。操作部７０には、少なくとも以下の操作部が含まれる。シャッターボタン６１、メイン電子ダイヤル７１、電源スイッチ７２、サブ電子ダイヤル７３、十字キー７４、ＳＥＴボタン７５、ＬＶボタン７６、拡大ボタン７７、縮小ボタン７８、再生ボタン７９。
【００３０】
電源制御部８０は、電池検出回路、ＤＣ−ＤＣコンバータ、通電するブロックを切り替えるスイッチ回路等により構成され、電池の装着の有無、電池の種類、電池残量の検出を行う。また、電源制御部８０は、その検出結果及びシステム制御部５０の指示に基づいてＤＣ−ＤＣコンバータを制御し、必要な電圧を必要な期間、記録媒体２００を含む各部へ供給する。
【００３１】
電源部３０は、アルカリ電池やリチウム電池等の一次電池やＮｉＣｄ電池やＮｉＭＨ電池、Ｌｉ電池等の二次電池、ＡＣアダプター等からなる。記録媒体Ｉ／Ｆ１８は、メモリカードやハードディスク等の記録媒体２００とのインターフェースである。記録媒体２００は、撮影された画像を記録するためのメモリカード等の記録媒体であり、半導体メモリや磁気ディスク等から構成される。
【００３２】
通信部５４は、無線または優先ケーブルによって接続し、映像信号や音声信号の送受信を行う。通信部５４は無線ＬＡＮ（Ｌｏｃａｌ  Ａｒｅａ  Ｎｅｔｗｏｒｋ）やインターネットとも接続可能である。通信部５４は撮像部２２で撮像した画像（スルー画像を含む）や、記録媒体２００に記録された画像を送信可能であり、また、外部機器から画像データやその他の各種情報を受信することができる。
【００３３】
姿勢検知部５５は重力方向に対するデジタルカメラ１００の姿勢を検知する。姿勢検知部５５で検知された姿勢に基づいて、撮像部２２で撮影された画像が、デジタルカメラ１００を横に構えて撮影された画像であるか、縦に構えて撮影された画像なのかを判別可能である。システム制御部５０は、姿勢検知部５５で検知された姿勢に応じた向き情報を撮像部２２で撮像された画像の画像ファイルに付加したり、画像を回転して記録することが可能である。姿勢検知部５５としては、加速度センサーやジャイロセンサーなどを用いることができる。
【００３４】
上記構成の表示制御装置の動作について説明する。
【００３５】
ユーザー操作により、トリミングされる画像データを表示する場合には、記録媒体２００に圧縮して記憶された画像データをメモリ制御部１５を通して通常の画素毎のデータに伸長し、その結果をメモリ３２へ転送し、表示部２８に表示する。
【００３６】
表示された画像のうち、トリミングする範囲の大きさは、拡大ボタン７７または縮小ボタン７８で変更でき、トリミングする範囲の位置は十字キー７４で変更できる。ＳＥＴボタン７５が押下されると、指定された範囲・位置の画像をプレビュー表示し、保存確認画面を表示する。保存が確定されると新規画像を生成し、記録媒体２００に保存する。
【００３７】
図３（ａ）は、表示部２８における、全体表示でのトリミング範囲設定画面の表示例である。以下、トリミング範囲設定時のこの表示状態を全体表示モード（第１の表示モード）と称する。表示部２８には、トリミングの対象となる画像３０１の全体が収まるように表示される。枠３０２は、トリミング範囲を示す枠である。本実施形態は枠を表示した例を示しているが、トリミング範囲を識別可能な表示であれば他の表示形態でもよい。例えば、破線や、トリミング範囲の頂点のみを示す表示アイテムを表示しても良い。また、トリミング範囲外をグレースケールで表示し、トリミング範囲内をフルカラーで表示するなど、トリミング範囲内外で表示形態を変えるようにしても良い。システム制御部５０は、拡大ボタン７７が押下されたことに応じて、枠３０２を小さくする（すなわち、トリミング範囲を狭める）。一方、縮小ボタン７８が押下されたことに応じて、枠３０２を大きくする（すなわち、トリミング範囲を広げる）。また、システム制御部５０は、ユーザーによって十字キー７４が操作されたことに応じて、枠３０２を画像３０１上で上下左右に移動させる。全体表示モードでは、トリミングされる画像全体が表示されているので、トリミング範囲の外側の周囲の情報（枠３０２の外側）を把握できる。従って、トリミング範囲に含めるべき被写体が現在のトリミングの枠３０２の外側にもあるかどうかを確認しながらトリミング範囲を調整することができる。一方、トリミングされる部分（枠３０２の内側）が表示部２８の表示画面全体よりも小さく表示されるため、また、トリミングされる部分の外側も見えてしまうために、トリミングの結果得られる画像をイメージし難い。
【００３８】
図３（ｂ）は、表示部２８における、トリミング範囲内表示でのトリミング範囲設定画面の表示例である。以下、トリミング範囲設定時のこの表示状態を前述の全体表示モードと区別して、トリミング範囲内表示モード（第２の表示モード）と称する。表示されている部分画像３０３は、画像３０１の全体における一部範囲を表示部２８の表示領域に合わせて変倍したものであり、図３（ａ）での枠３０２の内側部分に相当する。システム制御部５０は、ユーザーによって拡大ボタン７７が押下されたことに応じて、表示部２８に表示される画像を拡大する（画像３０１の全体に対する範囲は小さくなる。すなわち枠３０２が小さくなりトリミング範囲が狭まることに相当する）。逆に、システム制御部５０は、ユーザーによって縮小ボタン７８が押下されたことに応じて、表示部２８に表示される画像を縮小する（画像３０１の全体に対する範囲は大きくなる。すなわち枠３０２が大きくなりトリミング範囲が広がることに相当する）。また。システム制御部５０は、十字キー７４が押下されたことに応じて、押下された方向に表示範囲を移動（スクロール）する。すなわち、例えば十字キー７４のうち右ボタンが押下されると、現在表示されている部分画像３０３よりも右側の範囲を表示する（表示されていた部分は左に移動する）。この、トリミング範囲内表示モードでは、トリミングした結果得られる画像に近いまたは同一の表示のため、トリミングすることによって得られる画像をイメージしやすい。一方、画像３０１のうち、トリミングされる範囲の外側は表示されないため、トリミング範囲外の情報が把握できず、他にトリミング範囲に含めるべき被写体が画像３０１内にあるかどうかを確認できない。
【００３９】
トリミング範囲を指定する際、図３（ａ）に示した全体表示モードと、図３（ｂ）に示したトリミング範囲内表示モードは、操作部７０に含まれる表示切換ボタンで変更することができる。
【００４０】
図４（ａ）は全体表示モードで、十字キー７４の右ボタンが１回押された場合の移動を示したものである。本実施例では、全体表示モードでの枠（トリミング範囲）の一回の移動量は、移動方向の画素数の１．５％分とする。例えば、トリミングの対象となる画像（トリミング前の画像）の記録画素数が横４０００ピクセル×縦３０００ピクセルである場合、右ボタンが１回押された場合は、横方向の移動となる。従って、横方向の画素数（４０００ピクセル）の１．５％である６０ピクセル分、右に移動する。すなわち、枠の移動前を図示した図４（ａ）の左側の表示例における枠３０２ａから、枠の移動後を図示した図４（ａ）の右側の表示例における枠３０２ｂへと、画像３０１の横方向の記録画素数の１．５％に相当する画素数分、枠が右に移動している。
【００４１】
図４（ｂ）はトリミング範囲内表示モードで、十字キー７４の右ボタンが１回押された場合の移動を示したものである。トリミング範囲内表示モードでの表示範囲（トリミング範囲）の一回の移動量は、最小移動単位（トリミング対象の画像のトリミング前の記録画素数で定義される所定値。例えば４ピクセル分とする）とする。また、方向ボタンが長押しされた場合の１単位の移動量は最小移動単位の５倍（最小移動単位が４ピクセル分の場合、２０ピクセル分）とする。例えば、トリミングの対象となる画像（トリミング前の画像）の記録画素数に関わらず、右ボタンが１回短押しされた場合は、最小移動単位である４ピクセル分、右に移動する。これは、全体表示モードでの枠（トリミング範囲）の一回の移動量（横４０００ピクセル×縦３０００ピクセルである場合は６０ピクセル）よりも小さく設定されている。厳密には、この大小関係は画像の記録画素数に依存して変わりうるが、記録画素数の１．５％に相当する画素数が４ピクセルを下回るのは、縦または横の記録画素数が２６７ピクセルを下回る場合である。しかし、本実施形態のデジタルカメラ１００で撮影可能な画像の最小画素数は横６４０×縦４８０ピクセルである。すなわち、デジタルカメラ１００で撮影された画像であれば、全体表示モードでのトリミング範囲の一回の移動量よりも、トリミング範囲内表示モードでのトリミング範囲の一回の移動量の方が小さくなるように設計されている。また、最小移動単位の５倍（第３の変化量）は、全体表示モードでの枠の１回の移動量よりは小さい。なお、撮像された画像を更にトリミングやリサイズにより小さくした画像や、外部機器から取得した画像であればこの限りでは無い。
【００４２】
このように、本発明では、全体表示モードと、トリミング範囲内表示モードとでは、ユーザーにとってトリミング範囲を調整したい精度が異なるであろうことに着目し、同じ操作で調整されるトリミング範囲の変化量を変えている。すなわち、全体表示モードに比べて、トリミング範囲内表示モードでは画像が大きく表示され、トリミングの結果に近いため、ユーザーはより細かい調整を望むと考えられる。そこで本発明では、全体表示モードに比べて、トリミング範囲内表示モードでは、一回の操作のトリミング範囲の変化量を小さくし、トリミング範囲の微調整をできるようにしている。逆に、トリミング範囲内表示モードに比べて全体表示モードでは、一回の操作のトリミング範囲の変化量を大きくし、トリミング範囲の粗調整をできるようにしている。すなわち、全体表示モードの際に１回の変更操作が行われたことに応じて第１の変化量（第１の移動量）でトリミングの処理範囲を変更する。一方、トリミング範囲内表示モードの際に１回の変更操作が行われたことに応じて第１の変化量よりも小さい第２の変化量（第２の移動量）でトリミングの処理範囲を変更する。ユーザーはこの２つの指定方法を使い分けることで、画像全体の中で所望の範囲をトリミング範囲として設定する操作を、粗調整で素早く、かつ微調整で正確に行うことができる。なお、十字キー７４を長押しした場合の移動量は、１回押した場合の移動量と同一でもいいし、大きくしてもよい。
【００４３】
図５は、本発明によるトリミング範囲設定処理のフローチャートである。この処理は、不揮発性メモリ５６に記録されたプログラムを、システムメモリ５２に展開してシステム制御部５０が実行することにより実現する。
【００４４】
デジタルカメラ１００を再生モードで起動し、所望の画像を表示させた状態でトリミングの開始操作が行われると、図５の処理を開始する。
【００４５】
Ｓ５０１では、システム制御部５０は、トリミングの対象となる画像３０１を記録媒体２００から読み出して全体表示モードで表示部２８に表示する。すなわち、画像３０１の全体を表示部２８に表示し、トリミング範囲を示す枠３０２を画像３０１に重畳して表示する。枠３０２は、予め定められた初期サイズで、画像中央（枠の中心と画像３０１の中心が一致する位置）に表示する。図３（ａ）にこのときの表示例を示す。画像３０１は、撮像部２２で撮像された画像であり得る。なおこの際は、トリミング範囲設定処理を開始した直後であるので、ユーザーにトリミング範囲内表示モードでのトリミング範囲設定も可能であることを示すためのガイドを所定時間、あるいは何らかの操作が行われるまで表示しても良い。例えば、「微調整：表示切り替えボタン」とのダイアログメッセージを画像３０１に重畳して表示する。このようにすることで、ユーザーは、表示切り替えボタンを押下すれば、表示を全体表示モードからトリミング範囲内表示モードに切り替え、トリミング範囲をより細かく調整できることがわかる。
【００４６】
Ｓ５０２では、システム制御部５０は、トリミング範囲の大きさ（サイズ）の変更操作である拡大ボタン７７の押下があったか否かを判定する。押下されたと判定するとＳ５０３に進み、そうでない場合はＳ５０４に進む。
【００４７】
Ｓ５０３では、システム制御部５０は、拡大ボタン７７の押下に応じてトリミング範囲を縮小する（狭める）。すなわち、全体表示モードであれば枠３０２を小さくする。トリミング範囲内表示モードであれば表示されている画像を拡大する。縮小したトリミング範囲の情報をシステムメモリ５２に記憶する。
【００４８】
Ｓ５０４では、システム制御部５０は、トリミング範囲の大きさ（サイズ）の変更操作である縮小ボタン７８の押下があったか否かを判定する。押下されたと判定するとＳ５０５に進み、そうでない場合はＳ５０６に進む。
【００４９】
Ｓ５０５では、システム制御部５０は、縮小ボタン７８の押下に応じてトリミング範囲を拡大する（広げる）。すなわち、全体表示モードであれば枠３０２を大きくする。トリミング範囲内表示モードであれば表示されている画像を縮小する。拡大したトリミング範囲の情報をシステムメモリ５２に記憶する。
【００５０】
Ｓ５０６では、システム制御部５０は、操作部７０に含まれる表示切り替えボタンが押下されたか否かを判定する。押下されたと判定するとＳ５０７に進み、そうでない場合はＳ５０８に進む。
【００５１】
Ｓ５０７では、システム制御部５０は、トリミング範囲設定処理の表示モードを切り替える。すなわち、表示切り替えボタンの押下前に全体表示モードであった場合はトリミング範囲内表示モードに切り替える（トリミング範囲内表示モードの表示例：図３（ｂ））。逆に、表示切り替えボタンの押下まえにトリミング範囲内表示モードであった場合には全体表示モードに切り替える（全体表示モードの表示例：図３（ａ））。表示モードの切り替え前後では、システムメモリ５２に記憶された現在のトリミング範囲の情報に基づいて、同じトリミング範囲を表すように枠３０２（全体表示モードの場合）、あるいは部分画像３０３（トリミング範囲内表示モードの場合）が表示される。
【００５２】
Ｓ５０８では、システム制御部５０は、現在の表示モードが全体表示モードであるか否かを判定する。現在の表示モードが全体表示モードである場合にはＳ５０９に進み、そうでない場合、すなわちトリミング範囲内表示モードである場合にはＳ５１４に進む。
【００５３】
Ｓ５０９では、システム制御部５０は、トリミング範囲の位置の変更操作である十字キー７４の押下があったか否かを判定する。十字キー７４が押下された判定するとＳ５１０に進み、そうでない場合はＳ５１９に進む。
【００５４】
Ｓ５１０では、システム制御部５０は、十字キー７４のうち押下された方向に基づく移動方向におけるトリミング対象画像（画像３０１）記録画素数の１．５％分、十字キーの押下された方向にトリミング範囲を移動させる。具体例は前述した通りである。移動後のトリミング範囲はシステムメモリ５２に記憶される。
【００５５】
Ｓ５１１では、システム制御部５０は、十字キー７４が離されたか否かを判定する。離されたと判定した場合はＳ５１９に進み、そうでない場合、すなわち十字キー７４の押下が継続している場合はＳ５１２に進む。
【００５６】
Ｓ５１２では、システム制御部５０は、十字キー７４が押下され始めた後、最後にトリミング範囲を移動してから所定時間（例えば３００ｍｓｅｃ）が経過したか否かを判定する。所定時間が経過した場合にはＳ５１３に進み、そうでない場合はＳ５１１に進む。
【００５７】
Ｓ５１３では、システム制御部５０は、Ｓ５１０の処理と同様に、トリミング範囲を移動させる。移動後のトリミング範囲はシステムメモリ５２に記憶される。すなわち、十字キー７４のいずれかの方向ボタンを押下し続けていると、所定時間毎に移動方向の記録画素の１．５％分の画素分、トリミング範囲が移動する。
【００５８】
一方、Ｓ５１４では、システム制御部５０は、十字キー７４が押下されたか否かを判定する。十字キー７４が押下された判定するとＳ５１５に進み、そうでない場合はＳ５１９に進む。
【００５９】
Ｓ５１５では、システム制御部５０は、十字キー７４のうち押下された方向に、最小単位の画素分（例えばトリミング対象画像の記録画素数の４画素分）トリミング範囲を移動させる。具体例は前述した通りである。移動後のトリミング範囲はシステムメモリ５２に記憶される。
【００６０】
Ｓ５１６では、システム制御部５０は、十字キー７４が離されたか否かを判定する。離されたと判定した場合はＳ５１９に進み、そうでない場合、すなわち十字キー７４の押下が継続している場合はＳ５１７に進む。
【００６１】
Ｓ５１７では、システム制御部５０は、十字キー７４が押下され始めた後、最後にトリミング範囲を移動してから所定時間（例えば３００ｍｓｅｃ）が経過したか否かを判定する。所定時間が経過した場合にはＳ５１８に進み、そうでない場合はＳ５１６に進む。
【００６２】
Ｓ５１８では、システム制御部５０は、十字キー７４のうち押下されている方向に、最小単位の画素の５倍分（例えばトリミング対象画像の記録画素数の２０画素分）、トリミング範囲を移動させる。移動後のトリミング範囲はシステムメモリ５２に記憶される。すなわち、十字キー７４のいずれかの方向ボタンを押下し続けていると、所定時間毎に移動方向の記録画素の２０画素分ずつ、トリミング範囲が移動する。
【００６３】
Ｓ５１９では、システム制御部５０は、ＳＥＴボタン７５が押下されたか否かを判定する。ＳＥＴボタン７５が押下されたと判定するとＳ５２０に進み、そうでない場合はＳ５０２に戻る。
【００６４】
Ｓ５２０では、システム制御部５０は、保存確認画面として、プレビュー画像を表示するとともに、現在設定されているトリミング範囲でトリミングを行って良いか否かをユーザーに問う選択肢を表示する。プレビュー画像は、画像３０１のうち、システムメモリ５２に記憶されたトリミング範囲（現在までのトリミング範囲設定操作で設定されたもの）が示す部分画像が、表示部２８の全体に収まるように変倍して表示されたものである。すなわち、トリミング範囲内表示モードでの表示と同様の画像表示となる。
【００６５】
Ｓ５２１では、システム制御部５０は、プレビュー画像を表示した後に、保存確認画面において、キャンセルの選択肢が選択確定されたか否かを判定する。システム制御部５０は、プレビュー画像と共に表示された選択肢である「キャンセル」と「保存確定」のうち、十字キー７４の操作に応じて「キャンセル」が選ばれ、ＳＥＴボタン７５が押下されると、「キャンセル」が選択確定されたと判定する。「キャンセル」が選択確定された場合にはＳ５０２に戻り、そうで内場合にはＳ５２２に進む。
【００６６】
Ｓ５２２では、システム制御部５０は、保存確認画面において、「保存確定」の選択肢が選択確定されたか否かを判定する。システム制御部５０は、プレビュー画像と共に表示された選択肢である「キャンセル」と「保存確定」のうち、十字キー７４の操作に応じて「保存確定」が選ばれ、ＳＥＴボタン７５が押下されると、「保存確定」が選択確定されたと判定する。「保存確定」が選択確定された場合にはＳ５２３に進み、そうでない場合にはＳ５２１に戻る。
【００６７】
Ｓ５２３では，システム制御部５０は、トリミング処理を実行して、トリミングによって得られた画像を新規画像ファイルとして記録する。すなわち、画像３０１のうち、システムメモリ５２に記憶されたトリミング範囲（現在までのトリミング範囲設定操作で設定されたもの）が示す部分とトリミングし、トリミングされた画像を画像ファイルとして記録媒体２００に新規記録し、処理を終了する。
【００６８】
以上説明した処理により、図３、図４で説明したような制御を実現できる。これによってユーザーは、２つのトリミング範囲設定方法を使い分けることで、画像全体の中で所望の範囲をトリミング範囲として設定する操作を、素早く、かつ正確に行うことができる。
【００６９】
なお、上述の処理において、トリミング範囲内表示モードから全体表示モードに切り替えてから一定時間以内は、十字キー７４の操作に応じたトリミング範囲の移動量を少なくしてもよい。具体的には、Ｓ５０７でトリミング範囲内表示モードから全体表示モードに切り替えるとタイマーをスタートする。タイマーのスタートから所定時間（例えば１秒程度）以内に十字キー７４が押下された場合には、トリミング範囲内表示モードでの移動量と同じ最小移動単位の画素分の移動とする（すなわちトリミング範囲の移動の小さい微調整とする）。所定時間内の十字キー７４の押下に基づいて最小移動単位の画素分の移動が行われるとタイマーをリセットして再びスタートする。そして、前回の移動から所定時間（１秒程度）以内に再び十字キー７４が押下された場合には、トリミング範囲内表示モードでの移動量と同じ最小移動単位の画素分の移動とする。トリミング範囲内表示モードから全体表示モードに切り替えた後、所定時間以上十字キー７４に対する操作が無かった場合には前述のＳ５０９に進み、その後の十字キー７４の押下に応じては移動方向の画素の１．５％分の移動を行う。このようにすることで、トリミング範囲内表示モードでトリミング範囲の位置の微調整を行っていた場合に、一旦全体表示モードに切り替えてトリミング範囲外の様子を確認しながら、微調整を継続することができる。
【００７０】
＜実施例２＞
以下、本発明の第２の実施例を説明する。実施例１で説明したトリミング範囲内表示モードの際に、トリミング範囲内の周り（境界）の内側の一部分を拡大した画像を同時に表示するようにしても良い。実施例２ではこの場合を説明する。実施例２の装置の外観、ブロック図、フローチャートの大部分は実施例１と同様である。以下に、処理フローの実施例１との差分のみ説明する。
【００７１】
システム制御部５０は、トリミング範囲内表示モードの際（すなわち図５のＳ５０８Ｙｅｓとなる場合）に、操作部７０に含まれる詳細確認ボタンが押下されたか否かを判定し、押下された場合は詳細表示モードでの制御を行う。詳細確認ボタンが押下されていない場合は図５のＳ５１４に進む。
【００７２】
図６に、トリミング範囲内表示モードの際（すなわち図５のＳ５０８Ｙｅｓとなる場合）に、操作部７０に含まれる詳細確認ボタンが押下されると表示される、詳細表示モードでの表示例を示す。拡大画像６０２は、トリミング範囲内の画像である部分画像３０３の周辺部分内側に設定される枠６０１の部分を拡大した画像である。拡大画像６０２を見ることで、ユーザーは、トリミング範囲の境界部分において、トリミング範囲内に収めるべき被写体が収まっているかどうかを詳細に確認することができる。システム制御部５０は、十字キー７４の押下に応じて枠６０１を移動させる。枠６０１が移動されたことに応じて、拡大画像６０２は、移動後の枠６０１の範囲を拡大した画像に更新される。この詳細表示モード中に詳細確認ボタンが押下されると、システム制御部５０は、詳細確認モードを終了し、通常のトリミング範囲内表示モードに復帰する（すなわち図５のＳ５１４に進む）。トリミング範囲内表示モードに復帰した後、ユーザーは詳細表示モードでの確認結果をもとに微調整を行うことができる。
【００７３】
また、図６の詳細表示モードでの表示中に、ＳＥＴボタン７５が押下されると、システム制御部５０は、詳細表示モードにおけるトリミング範囲微調整モードに遷移する。詳細表示モードにおけるトリミング範囲微調整モードの表示例を図７（ａ）に示す。トリミング範囲微調整モードでは、システム制御部５０は、十字キー７４の押下に応じてトリミング範囲を最小移動単位で移動させる。例えば、図７（ａ）を表示した状態で十字キー７４に含まれる右ボタンが押下されると、部分画像３０３の表示範囲が右に移動（スクロール）して、図７（ｂ）のような表示となる。この時、枠６０１の画面上での位置は固定されている。トリミング範囲の移動後である図７（ｂ）の拡大画像６０２には、トリミング範囲変更後の枠６０１内が拡大表示されるため、トリミング範囲内に収めたかった被写体が収まっているかどうかを詳細に確認することができる。詳細表示モードにおけるトリミング範囲微調整モードの際にＳＥＴボタン７５が押下されると、システム制御部５０は、保存確認画面を表示部２８に表示する。図８に、保存確認画面の表示例を示す。保存確認画面において、ユーザーは十字キー７４を操作して、ＯＫボタン８０１、キャンセルボタン８０２、微調整ボタン８０３の何れかを選択して、ＳＥＴボタン７５を押下して確定することができる。システム制御部５０は、ＯＫボタン８０１が選択されてＳＥＴボタン７５が押下されると、図５のＳ５２３に進んでトリミング処理を実行する。システム制御部５０は、キャンセルボタン８０２が選択されてＳＥＴボタン７５が押下されると、図５のＳ５０２に進む。システム制御部５０は、微調整ボタン８０３が選択されてＳＥＴボタン７５が押下されると、図６の詳細表示モードに遷移する。
【００７４】
なお、上述の各実施例においては、拡大ボタン７７／縮小ボタン７８が押下された時のトリミング範囲の縮小率／拡大率が、全体表示モードの際と、トリミング範囲内表示モードの際とで変わらない例を説明したが、変わるようにしてもよい。例えば、全体表示モードで拡大ボタン７７が１回押下された時のトリミング範囲の縮小率よりも、トリミング範囲内表示モードの際に拡大ボタン７７が１回押下された時のトリミング範囲の縮小率の方を小さくする。また、全体表示モードで縮小ボタン７８が１回押下された時のトリミング範囲の拡大率よりも、トリミング範囲内表示モードの際に縮小ボタン７８が１回押下された時のトリミング範囲の拡大率の方を小さくする。すなわち、全体表示モードの際にトリミング範囲の大きさの変更操作が１回行われたことに応じて第１の変化量（第１の変倍率）でトリミングの処理範囲の大きさを変更する。一方、トリミング範囲内表示モードの際にトリミング範囲の大きさの変更操作が１回行われたことに応じて第１の変化量よりも小さい第２の変化量（第２の変倍率）でトリミングの処理範囲の大きさを変更する。このようにすることで、全体表示モードでは、トリミング範囲の大きさの粗い調整によって素早くユーザーの意図に近い大きさのトリミング範囲を設定できる。また、トリミング範囲内表示モードでは、細かい調整によって正確にユーザーの意図するトリミング範囲を設定することができる。このような全体表示モードとトリミング範囲内表示モードとを切り替えて使用することで、ユーザーは、素早く正確に意図するトリミング範囲を設定することができる。
【００７５】
なお、上述の各実施例においては、トリミング範囲の設定方法について説明したが、本発明は、トリミングに限らず、処理を施すべき画像の一部範囲を設定する場面であれば適用可能である。例えば、画像の一部範囲の色調を変更する処理、画像の一部範囲をコピーする処理（ただしコピーされた範囲はトリミングされたことと同義である）、画像の一部範囲をマスクする処理などがある。ただし、上述のトリミング範囲内表示のように、画像の一部範囲外は表示しないようにして調整できるようにした本発明は、トリミング範囲の設定時に適用して特に効果的である。
【００７６】
以上説明した本発明によれば、所定の処理の処理範囲の粗い指定方法と細かい指定方法と組み合わせて利用することで、所定の処理の処理範囲の微調整が可能でありながら、少ない指示で所定の処理の処理範囲を設定することができる。言い換えれば、画像全体を表示して所定の処理の処理範囲を示した表示状態と、所定の処理の処理範囲を大きく表示した状態とにおいて、それぞれの状態に合わせた好適な操作感で所定の処理の処理範囲の設定操作を行うことができる。
【００７７】
なお、システム制御部５０が行うものとして説明した上述の各種制御は、１つのハードウェアが行ってもよいし、複数のハードウェアが処理を分担することで、装置全体の制御を行ってもよい。
【００７８】
また、本発明をその好適な実施形態に基づいて詳述してきたが、本発明はこれら特定の実施形態に限られるものではなく、この発明の要旨を逸脱しない範囲の様々な形態も本発明に含まれる。さらに、上述した各実施形態は本発明の一実施形態を示すものにすぎず、各実施形態を適宜組み合わせることも可能である。
【００７９】
また、上述した実施形態においては、本発明をデジタルカメラ１００に適用した場合を例にして説明したが、これはこの例に限定されず、画像のトリミング範囲を設定する画面を表示可能である表示制御装置であれば適用可能である。すなわち、本発明はパーソナルコンピュータやＰＤＡ、携帯電話端末や携帯型の画像ビューワ、ディスプレイを備えるプリンタ装置、デジタルフォトフレーム、音楽プレーヤー、ゲーム機、電子ブックリーダーなどに適用可能である。
【００８０】
（他の実施形態）
本発明は、以下の処理を実行することによっても実現される。即ち、上述した実施形態の機能を実現するソフトウェア（プログラム）をネットワーク又は各種記憶媒体を介してシステム或いは装置に供給し、そのシステム或いは装置のコンピュータ（又はＣＰＵやＭＰＵ等）がプログラムコードを読み出して実行する処理である。この場合、そのプログラム、及び該プログラムを記憶した記憶媒体は本発明を構成することになる。
【図１】
2014165523.tif 000003
【図２】
2014165523.tif 000004
【図３】
2014165523.tif 000005
【図４】
2014165523.tif 000006
【図５】
2014165523.tif 000007
【図６】
2014165523.tif 000008
【図７】
2014165523.tif 000009
【図８】
2014165523.tif 000010